【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
ウェブページに対応するポップアップがある場合、画面を主ページ表示領域とポップアップ表示領域とに分割する段階と、
前記ウェブページのロードに応じて前記主ページ表示領域に前記ウェブページを表示する段階と、
前記ポップアップ表示領域に前記ウェブページに対応する前記ポップアップの少なくとも一部分を表示する段階とを有することを特徴とするポップアップ表示方法。
【請求項２】
前記画面を主ページ表示領域とポップアップ表示領域とに分割する段階は、ウェブページのロード時に、前記ウェブページに対応するポップアップの個数が予め設定された画面分割基準値以上の場合、画面を主ページ表示領域とポップアップ表示領域とに分割することを特徴とする請求項１に記載のポップアップ表示方法。
【請求項３】
前記ポップアップを表示する段階は、前記ポップアップのプレビューイメージを抽出する段階と、
抽出された前記プレビューイメージを前記ポップアップ表示領域に表示する段階とを含むことを特徴とする請求項１に記載のポップアップ表示方法。
【請求項４】
前記ポップアップを表示する段階は、前記ポップアップの要約テキストを抽出する段階と、
抽出された前記要約テキストを前記ポップアップ表示領域に表示する段階とを含むことを特徴とする請求項１に記載のポップアップ表示方法。
【請求項５】
前記ポップアップを表示する段階は、前記ウェブページに対応するポップアップの個数が予め設定された要約テキスト表示基準値以上の場合、前記ポップアップの要約テキストを抽出し、前記ポップアップ表示領域に表示する段階と、
前記ウェブページに対応するポップアップの個数が予め設定された要約テキスト表示基準値未満の場合、前記ポップアップのプレビューイメージを抽出し、前記ポップアップ表示領域に表示する段階とを含むことを特徴とする請求項１に記載のポップアップ表示方法。
【請求項６】
前記ポップアップのプレビューイメージを抽出する段階と、
前記ポップアップに対して予め設定された特定のイベントが発生した時、前記抽出されたプレビューイメージを表示する段階とをさらに有することを特徴とする請求項１に記載のポップアップ表示方法。
【請求項７】
前記ポップアップの要約テキストを抽出する段階と、
前記ポップアップに対して予め設定された特定のイベントが発生した時、前記抽出された要約テキストを表示する段階とをさらに有することを特徴とする請求項１に記載のポップアップ表示方法。
【請求項８】
前記ポップアップに対して予め設定された特定のイベントが発生した時、前記ポップアップの表示領域を増やして前記ポップアップを表示する段階をさらに有することを特徴とする請求項１に記載のポップアップ表示方法。
【請求項９】
前記ポップアップに対して予め設定された特定のイベントが発生した時、前記ポップアップを新規ポップアップウィンドウ形態で表示する段階をさらに有することを特徴とする請求項１に記載のポップアップ表示方法。
【請求項１０】
ウェブページ及びポップアップを表示するように構成された表示部と、
前記ウェブページに対応するポップアップがある場合、画面を主ページ表示領域とポップアップ表示領域とに分割し、前記ウェブページのロードに応じて前記主ページ表示領域に前記ウェブページを表示し、前記ポップアップ表示領域に前記ウェブページに対応する前記ポップアップの少なくとも一部分を表示するように前記表示部を制御するように構成された制御部とを有することを特徴とするポップアップ表示装置。
【請求項１１】
前記制御部は、ウェブページのロード時に、前記ウェブページに対応するポップアップの個数が予め設定された画面分割基準値以上の場合、画面を主ページ表示領域とポップアップ表示領域とに分割することを特徴とする請求項１０に記載のポップアップ表示装置。
【請求項１２】
前記ポップアップのプレビューイメージを抽出するイメージ抽出部をさらに有し、
前記制御部は、前記抽出されたポップアップのプレビューイメージを前記ポップアップ表示領域に表示するように前記表示部を制御することを特徴とする請求項１０に記載のポップアップ表示装置。
【請求項１３】
前記ポップアップの要約テキストを抽出するテキスト抽出部をさらに有し、
前記制御部は、前記抽出されたポップアップの要約テキストを前記ポップアップ表示領域に表示するように前記表示部を制御することを特徴とする請求項１０に記載のポップアップ表示装置。
【請求項１４】
前記ポップアップの要約テキストを抽出するテキスト抽出部と、
前記ポップアップのプレビューイメージを抽出するイメージ抽出部とをさらに有し、
前記制御部は、前記ウェブページに対応するポップアップの個数が予め設定された要約テキスト表示基準値以上の場合、前記抽出されたポップアップの要約テキストを前記ポップアップ表示領域に表示するように前記表示部を制御し、
前記ウェブページに対応するポップアップの個数が予め設定された要約テキスト基準値未満の場合、前記抽出されたポップアップのプレビューイメージを前記ポップアップ表示領域に表示するように前記表示部を制御することを特徴とする請求項１０に記載のポップアップ表示装置。
【請求項１５】
前記ポップアップのプレビューイメージを抽出するイメージ抽出部と、
前記ポップアップ表示領域に表示されたポップアップに対して予め設定された特定のイベントが発生したか否かを感知するイベント感知部とをさらに有し、
前記制御部は、前記ポップアップ表示領域に表示されたポップアップに対して予め設定された特定のイベントが発生した時、前記抽出されたプレビューイメージを表示するように前記表示部を制御することを特徴とする請求項１０に記載のポップアップ表示装置。
【請求項１６】
前記ポップアップの要約テキストを抽出するテキスト抽出部と、
前記ポップアップ表示領域に表示されたポップアップに対して予め設定された特定のイベントが発生したか否かを感知するイベント感知部とをさらに有し、
前記制御部は、前記ポップアップ表示領域に表示されたポップアップに対して予め設定された特定のイベントが発生した時、前記抽出された要約テキストを表示するように前記表示部を制御することを特徴とする請求項１０に記載のポップアップ表示装置。
【請求項１７】
前記ポップアップ表示領域に表示されたポップアップに対して予め設定された特定のイベントが発生したか否かを感知するイベント感知部をさらに有し、
前記制御部は、前記ポップアップ表示領域に表示されたポップアップに対して予め設定された特定のイベントが発生した時、前記ポップアップの表示領域を増やして前記ポップアップを表示するように前記表示部を制御することを特徴とする請求項１０に記載のポップアップ表示装置。
【請求項１８】
前記ポップアップ表示領域に表示されたポップアップに対して予め設定された特定のイベントが発生したか否かを感知するイベント感知部をさらに有し、
前記制御部は、前記ポップアップ表示領域に表示されたポップアップに対して予め設定された特定のイベントが発生した時、前記ポップアップを新規ポップアップウィンドウ形態で表示するように前記表示部を制御することを特徴とする請求項１０に記載のポップアップ表示装置。
【請求項１９】
ポップアップを表示するソフトウェアを含むコンピュータ読み取り可能な記録媒体であって、
ウェブページに対応するポップアップがある場合、画面を主ページ表示領域とポップアップ表示領域とに分割する命令と、
前記ウェブページのロードに応じて前記主ページ表示領域に前記ウェブページを表示する命令と、
前記ポップアップ表示領域に前記ウェブページに対応する前記ポップアップの少なくとも一部分を表示する命令とを含むことを特徴とするコンピュータ読み取り可能な記録媒体。
【請求項２０】
前記ウェブページに対応するポップアップの個数があらかじめ設定されたスクリーン分割基準値以上の場合、前記スクリーンが分割されることを特徴とする請求項１９に記載のコンピュータ読み取り可能な記録媒体。
【手続補正２】
【補正対象書類名】明細書
【補正対象項目名】発明の名称
【補正方法】変更
【補正の内容】
【発明の名称】ポップアップ表示方法及びその装置並びにコンピュータ読み取り可能な記録媒体
【手続補正３】
【補正対象書類名】明細書
【補正対象項目名】０００１
【補正方法】変更
【補正の内容】
【０００１】
本発明は、ポップアップ表示方法及びその装置並びにコンピュータ読み取り可能な記録媒体に関し、より詳細には、ユーザが便利にポップアップウィンドウを選択して確認することができるようにすることのできるポップアップ表示方法及びその装置並びにコンピュータ読み取り可能な記録媒体に関する。
【手続補正４】
【補正対象書類名】明細書
【補正対象項目名】０００５
【補正方法】変更
【補正の内容】
【０００５】
そこで、本発明は上記従来のポップアップウィンドウにおける問題点に鑑みてなされたものであって、本発明の目的は、ユーザがウェブページのポップアップウィンドウを便利に選択して確認することができるようにするポップアップ表示方法及びその装置並びにコンピュータ読み取り可能な記録媒体を提供することにある。
また、本発明の他の目的は、過度に多いポップアップウィンドウが生成されることを防止し、リソースを効率的に使用することができるようにするポップアップ表示方法及びその装置並びにコンピュータ読み取り可能な記録媒体を提供することにある。
【手続補正５】
【補正対象書類名】明細書
【補正対象項目名】０００６
【補正方法】変更
【補正の内容】
【０００６】
上記目的を達成するためになされた本発明によるポップアップ表示方法は、ウェブページに対応するポップアップがある場合、画面を主ページ表示領域とポップアップ表示領域とに分割する段階と、前記ウェブページのロードに応じて前記主ページ表示領域に前記ウェブページを表示する段階と、前記ポップアップ表示領域に前記ウェブページに対応する前記ポップアップの少なくとも一部分を表示する段階とを有することを特徴とする。
【手続補正６】
【補正対象書類名】明細書
【補正対象項目名】０００７
【補正方法】変更
【補正の内容】
【０００７】
上記目的を達成するためになされた本発明によるポップアップ表示装置は、ウェブページ及びポップアップを表示するように構成された表示部と、前記ウェブページに対応するポップアップがある場合、画面を主ページ表示領域とポップアップ表示領域とに分割し、前記ウェブページのロードに応じて前記主ページ表示領域に前記ウェブページを表示し、前記ポップアップ表示領域に前記ウェブページに対応する前記ポップアップの少なくとも一部分を表示するように前記表示部を制御するように構成された制御部とを有することを特徴とする。
また、上記目的を達成するためになされた本発明によるコンピュータ読み取り可能な記録媒体は、ポップアップを表示するソフトウェアを含むコンピュータ読み取り可能な記録媒体であって、ウェブページに対応するポップアップがある場合、画面を主ページ表示領域とポップアップ表示領域とに分割する命令と、前記ウェブページのロードに応じて前記主ページ表示領域に前記ウェブページを表示する命令と、前記ポップアップ表示領域に前記ウェブページに対応する前記ポップアップの少なくとも一部分を表示する命令とを含むことを特徴とする
【手続補正７】
【補正対象書類名】明細書
【補正対象項目名】０００８
【補正方法】変更
【補正の内容】
【０００８】
本発明に係るポップアップ表示方法及びその装置並びにコンピュータ読み取り可能な記録媒体によれば、ユーザがウェブページのポップアップウィンドウを便利に選択して確認することができるという効果がある。
また、過度に多いポップアップウィンドウが生成されることを防止し、リソースを効率的に使用することができるという効果がある。
【手続補正８】
【補正対象書類名】明細書
【補正対象項目名】００１０
【補正方法】変更
【補正の内容】
【００１０】
次に、本発明に係るポップアップ表示方法及びその装置並びにコンピュータ読み取り可能な記録媒体を実施するための形態の具体例を図面を参照しながら説明する。